(57)【要約】      （修正有）【課題】使用場所の制限を解消して興趣性を向上できる玩具を提供する。【解決手段】観賞玩具１０は、水を主成分とする液体に対し不溶で空洞１１ａ内を外部から透視可能な容器部１１と、液体に対し可溶で容器部１１の空洞１１ａに配置可能な情報部１２と、液体に対し不溶で容器部１１の空洞１１ａに配置可能な物品１３とを備えており、情報部１２は容器部１１の空洞１１ａに少なくとも一部が外部から視認できるように配置され、物品１３は容器部１１の空洞１１ａに少なくとも一部が外部から視認できないように配置されている。【選択図】図１
2020162835.tif 000002
【特許請求の範囲】
【請求項１】
内部を外部から透視可能な容器部と、
液体に対し可溶で前記容器部の内部に配置可能な情報部と、
前記容器部の内部に配置可能な物品と、を備え、
前記情報部は前記容器部の内部に少なくとも一部が外部から視認できるように配置され、前記物品は前記容器部の内部に少なくとも一部が外部から視認できないように配置されている、
玩具。
【請求項２】
前記液体は、水を主成分とする、
請求項１に記載の玩具。
【請求項３】
前記容器部は、筒状を成す、
請求項１または２に記載の玩具。
【請求項４】
前記情報部は、シート状を成し、少なくとも一方面に絵柄および／または文字列を含む情報源が設けられている、
請求項１〜３のいずれか１項に記載の玩具。
【請求項５】
前記物品は、組み立て可能な複数の部品から成る、
請求項１〜４のいずれか１項に記載の玩具。
【請求項６】
前記容器部の内部に配置可能で前記物品を包囲可能な遮蔽部をさらに備える、
請求項１〜５のいずれか１項に記載の玩具。
【請求項７】
前記遮蔽部は、前記容器部の底部上に配置され、
前記情報部は、前記遮蔽部上に配置されている、
請求項６に記載の玩具。
【請求項８】
前記容器部の開口部を開閉可能な蓋部をさらに備える、
請求項１〜７のいずれか１項に記載の玩具。
【請求項９】
前記蓋部は、前記容器部に装着可能な蓋部本体と、前記容器部に対する前記液体の給排を制御可能な操作部とを有する、
請求項８に記載の玩具。
【請求項１０】
前記蓋部は、前記操作部の操作を規制するための規制部をさらに有する、
請求項９に記載の玩具。
【請求項１１】
前記規制部は、前記蓋部に着脱可能に設けられている、
請求項１０に記載の玩具。
【請求項１２】
前記規制部は、前記請求項７に記載の前記遮蔽部上に配置できるように構成されている、
請求項１１に記載の玩具。
【請求項１３】
前記蓋部本体は、前記容器部に装着された状態で前記容器部を自立できるように構成されている、
請求項９〜１２のいずれか１項に記載の玩具。
【請求項１４】
前記容器部を自立可能な台座部をさらに備える、
請求項１〜１３のいずれか１項に記載の玩具。
【請求項１５】
前記情報部の可溶を促進する可溶促進部をさらに備える、
請求項１〜１４のいずれか１項に記載の玩具。
【請求項１６】
前記可溶促進部は、前記液体に対し可溶で前記液体によってガスを発する材料を含む、
請求項１５に記載の玩具。
【請求項１７】
前記可溶促進部は、前記物品を覆うように配置されている、
請求項１４または１５に記載の玩具。
【請求項１８】
内部を外部から透視可能な容器部と、
前記容器部の内部に配置可能な遮蔽部と、
前記容器部の開口部を開閉可能な蓋部と、を備える、
玩具用容器。
【請求項１９】
前記液体は、水を主成分とする、
請求項１８に記載の玩具用容器。
【請求項２０】
前記容器部は、筒状を成す、
請求項１８または１９に記載の玩具用容器。
【請求項２１】
前記蓋部は、前記容器部に装着可能な蓋部本体と、前記容器部に対する前記液体の給排を制御可能な操作部とを有する、
請求項１８〜２０のいずれか１項に記載の玩具用容器。
【請求項２２】
前記蓋部は、前記操作部の操作を規制するための規制部をさらに有する、
請求項２１に記載の玩具用容器。
【請求項２３】
前記蓋部本体は、前記容器部に装着された状態で前記容器部を自立できるように構成されている、
請求項２１または２２に記載の玩具用容器。
【請求項２４】
前記容器部を自立可能な台座部をさらに備える、
請求項１８〜２３のいずれか１項に記載の玩具用容器。
【発明の詳細な説明】
【技術分野】
【０００１】
本発明は、玩具と玩具用容器に関する。
【背景技術】
【０００２】
特許文献１には、水溶性粉体（入浴剤や洗剤）を固形化した収容体の内部に、布帛類や布製玩具類等を圧縮して固形化した固形布製品を収容した水溶性収容体が開示されている。この水溶性収容体は、浴槽内や洗濯機の水槽内に投入して収容体を溶かし、かつ、固形布製品の固形状態を解除し、この後に布製品を広げることによってその形状やデザインが認識できるようにしている。
【０００３】
前掲の水溶性収容体は、固形状態が解除された布製品を広げるまでその形状やデザインが認識できないように工夫したものであるが、水溶性粉体として入浴剤や洗剤が使用されているために使用場所が限られており、卓上等の他の場所で使用することを念頭に置いたものではない。
【先行技術文献】
【特許文献】
【０００４】
【特許文献１】特開２００５−２２５７６０号公報
【発明の概要】
【発明が解決しようとする課題】
【０００５】
使用場所の制限を解消して興趣性を向上できる玩具および玩具用容器を提供することにある。
【課題を解決するための手段】
【０００６】
本発明に係る玩具は、内部を外部から透視可能な容器部と、液体に対し可溶で前記容器部の内部に配置可能な情報部と、前記容器部の内部に配置可能な物品とを備え、前記情報部は前記容器部の内部に少なくとも一部が外部から視認できるように配置され、前記物品は前記容器部の内部に少なくとも一部が外部から視認できないように配置されている。また、本発明に係る玩具用容器は、内部を外部から透視可能な容器部と、液体に対し不溶で前記容器部の内部に配置可能な遮蔽部と、前記容器部の開口部を開閉可能な蓋部とを備える。
【発明の効果】
【０００７】
本発明に係る玩具および玩具用容器によれば、使用場所の制限を解消して興趣性を向上できる玩具および玩具用容器を提供することができる。
【図面の簡単な説明】
【０００８】
【図１】図１（Ａ）は本発明の適用例を示す観賞玩具（使用前状態）の前面図、図１（Ｂ）は同観賞玩具の上面図、図１（Ｃ）は図１（Ｂ）のＳ１−Ｓ１線に沿う同観賞玩具の断面図である。
【図２】図２（Ａ）は図１に示した容器部の図１（Ｂ）対応の断面図、図２（Ｂ）は同容器部の上面図、図２（Ｃ）は同容器部の下面図である。
【図３】図３（Ａ）は図１に示した物品（分解状態）を示す図、図３（Ｃ）は組み立て後の物品を示す図である。
【図４】図４（Ａ）は図１に示した遮蔽部の図１（Ｂ）対応の断面図、図４（Ｂ）は同遮蔽部の上面図である。
【図５】図５（Ａ）は図１に示した蓋部の規制部除外の上面図、図５（Ｂ）は同蓋部の規制部の前面図、図５（Ｃ）は同蓋部の規制部の下面図、図５（Ｄ）は同蓋部の操作部の動作説明図、図５（Ｅ）は同蓋部の操作部の下面図である。
【図６】図６は図１に示した台座部の上面図である。
【図７】図７は図１に示した観賞玩具の組み立て方法例の説明図である。
【図８】図８は図１に示した観賞玩具の使用方法例の説明図である。
【図９】図９は図１に示した観賞玩具の使用方法例の説明図である。
【図１０】図１０は図１に示した観賞玩具の使用方法例の説明図である。
【図１１】図１１は図１に示した観賞玩具の使用方法例の説明図である。
【図１２】図１２は図１に示した観賞玩具の使用方法例の説明図である。
【図１３】図１３は図１に示した観賞玩具の使用方法例の説明図である。
【図１４】図１４は図１に示した観賞玩具の使用方法例の説明図である。
【図１５】図１５は図１に示した観賞玩具の使用方法例の説明図である。
【図１６】図１６は図１に示した観賞玩具の使用方法例の説明図である。
【発明を実施するための形態】
【０００９】
以下の説明では、便宜上、図１（Ａ）の手前を前、奥側を後、左側を右、右側を左、上側を上、下側を下と表記し、他の図についてもこれらと同様に向きを表記する。
【００１０】
《観賞玩具の構造》
まず、図１〜図６を用いて、本発明の玩具の適用例である観賞玩具１０（使用前状態）の構造について説明する。
【００１１】
図１は観賞玩具１０の使用前状態を示すものであって、当該観賞玩具１０は、容器部１１と、情報部１２と、物品（分解状態）１３と、遮蔽部１４と、蓋部１５と、台座部１６と、可溶促進部１７とを備える。
【００１２】
容器部１１は、後述の液体ＤＷ（図８を参照）に対して不溶で、透明または半透明（着色したものを含む）に形成されていて、内部の空洞１１ａ内を外部から透視（視認）可能である。この容器部１１は、図２（Ａ）〜図２（Ｃ）に示したように、好ましくは筒状、詳しくは円柱状の空洞１１ａの上端に開口部１１ｂを有し下端に底部１１ｃを有する円筒状を成している。また、空洞１１ａの内面下部には、上面視が概ね矩形状の張り出し部１１ｄが左右対称に設けられ、容器部１１の外面下部には、各張り出し部１１ｄに対応して下面視が概ね矩形状の窪み部１１ｄ１が設けられている。さらに、空洞１１ａの内面の各張り出し部１１ｄの上方位置には、当該各張り出し部１１ｄよりも張り出し量が小さな突起部１１ｅが左右対称に設けられている。さらに、容器部１１の外面上部には、蓋部１５を装着するためのネジ部１１ｆが設けられている。なお、容器部１１の材料としては、ポリエチレン（PE）、ポリプロピレン（PP）、ポリスチレン（PS）、ポリスチレンテレフタレート（PET）等の様々な樹脂材料を用いることが好ましいが、更に好ましくはPETを用いることで、透明性が高く内部が視認しやすく、また、堅牢性が高い容器を提供することが可能である。
【００１３】
情報部１２は、液体ＤＷに対して可溶で、好ましくは可撓性を有するシート状を成し、少なくとも一方面に物品１３に対応した情報源１２ａ、例えば物品１３それ自体の絵柄や物品１３に関連した絵柄等が設けられている。なお、情報源１２ａは、絵柄以外にも文字列や色彩等であってもよい。また、情報源１２ａは、必ずしも物品１３に対応した情報でなくても良く、情報源１２ａが物品１３に対応した情報でない場合、より使用者の驚き感を高めることが可能であるし、情報源１２ａが物品１３に対応した情報である場合、より使用者の想像力を利用した興趣性の高い玩具を提供することが可能である。情報源１２ａを設けることにより、より玩具の興趣性を高めることが可能である。
【００１４】
図１に示した使用前状態では、情報部１２が例えば横長矩形状のシート状を成す場合、当該情報部１２は、適宜丸めた状態で容器部１１の空洞１１ａ、詳しくは遮蔽部１４上に配置されている。すなわち、情報部１２および情報源１２ａは、容器部１１の内部の空洞１１ａに外部から視認できるように配置されている。なお、情報部１２および情報源１２ａは、少なくとも一部が外部から視認できれるように配置されればよい。
【００１５】
ここで、液体ＤＷと情報部１２について補足する。液体ＤＷは水を主成分とする液体であって、好ましくは公知の飲用水（飲用に適した水）、例えば水道水や市販のミネラルウォーター等である。情報部１２の材料は液体ＤＷに可溶であれば特段の制限はないが、好ましくは公知の水溶紙（溶けやすく加工したもの）等である。また、情報部１２に設けられた情報源１２ａの材料は、好ましくは公知の水溶性インキ等である。
【００１６】
物品１３は、液体ＤＷに対して不溶で、図３（Ａ）に示したように、好ましくは組み立て可能な複数の部品１３ａ〜１３ｄから成る。図３（Ａ）に示した部品１３ａは胴部、部品１３ｂは頭部、部品１３ｃは腕部、部品１３ｄは脚部に相当し、凹凸嵌合等によって図３（Ｂ）に示した自立可能な形態に組み立てることができる。
【００１７】
図１に示した使用前状態では、物品１３を構成する複数の部品１３ａ〜１３ｄは、分解状態で、容器１１の空洞１１ａの底部１１ｃ上に配置されている。この分解状態の物品１３は、情報部１２、遮蔽部１４および可溶促進部１７によって隠されているため、容器１１の外部から視認することはできない。なお、本実施形態では、物品１３の全体が容器１１の外部から視認できないようになっているが、これに限られず、物品１３の少なくとも一部が容器１１の外部から視認できないようになっていればよい。物品１３の全体が容器１１の外部から視認できない、あるいは、物品１３の全体像が連想できない状態で外部から視認可能になっていることにより、より使用者の期待感を高めることができ、玩具の興趣性を高めることが可能である。
【００１８】
なお、物品１３を構成する部品数は５個よりも多くても少なくてもよい。また、部品数を増加する場合には、胴部１３ａに相当する部品１３ａを組み立て可能な複数の部品で構成し、頭部に相当する部品１３ｂを組み立て可能な複数の部品で構成し、腕部に相当する部品１３ｃを組み立て可能な複数の部品で構成し、脚部１３ｄに相当する部品１３ｄを組み立て可能な複数の部品で構成してもよい。さらに、組み立て後の物品１３は図３（Ｂ）以外のキャラクターの他、生物や無生物等を模したものであってもよい。
【００１９】
遮蔽部１４は、液体ＤＷに対して不溶で、好ましくは不透明に形成されている。この遮蔽部１４は、図４（Ａ）および図４（Ｂ）に示したように、概ね円筒状を成し、上面視が円形の孔１４ａを上面に有し、左右面視が矩形状のスリット１４ｂを左右部分に左右対称に有する。ちなみに、遮蔽部１４の外径は、容器部１１の空洞１１ａの内径よりも僅かに小さく、遮蔽部１４の上下方向寸法は、容器部１１の底部１１ｃの上面と各突起部１１ｅの下端との上下方向寸法よりも僅かに小さく、各スリット１４ｂの幅および上下方向寸法は、容器部１１の各張り出し部１１ｄの幅および上下方向寸法よりも僅かに大きい。
【００２０】
図１に示した使用前状態では、遮蔽部１４は、各スリット１４ｂに容器部１１の各張り出し部１１ｄが挿入され、その下端が容器部１１の底部１１ｃに接し、その上方向の移動を容器部１１の容器部１１の各突起部１１ｅで規制された状態で、容器部１１の空洞１１ａに配置されている。また、容器部１１の空洞１１ａに配置された遮蔽部１４は、空洞１１ａの底部１１ｃ上に配置された複数の部品１３ａ〜１３ｄを囲んでいる。
【００２１】
蓋部１５は、液体ＤＷに対して不溶で、好ましくは不透明に形成されており、容器部１１の空洞１１ａにつながる開口部を開閉可能である。この蓋部１５は、図５（Ａ）〜図５（Ｅ）に示したように、容器部１１に装着可能な蓋部本体１５ａと、容器部１１の空洞１１ａに対する液体ＤＷの給排液を制御可能な操作部１５ｂと、操作部１５ｂを不動とするための着脱可能な規制部１５ｃとを有する。
【００２２】
蓋部本体１５ａは、概ね円錐台筒状を成し、内面下部に設けられた容器部１１のネジ部１１ｆに取り付け可能なネジ部１５ａ１と、上面に９０角度間隔で設けられた上面視が矩形状の排液溝１５ａ２と、内面中間部に設けられた上面視が円状の仕切り部１５ａ３と、仕切り部１５ａ３に１８０度間隔で設けられた上面視が扇状の給排液孔１５ａ４と、仕切り部１５ａ３の上面に設けられた上面視が矩形状の操作補助部１５ａ５と、仕切り部１５ａ３の下面中央に設けられた円柱状軸部１５ａ６とを有する（図５（Ａ）と図５（Ｄ）と図１（Ｂ）を参照）。ちなみに、蓋部本体１５ａの外径は、観賞玩具１０を上下反転させたときでも容器部１１を自立できるように容器部１１の外径よりも大きく設定されている。
【００２３】
操作部１５ｂは、円盤部１５ｂ１と、円盤部１５の上面に１８０度間隔で設けられた操作補助部１５ｂ２と、円盤部１５ｂ１の下面中央に設けられた円柱状軸受け部１５ｂ３と、各操作補助部１５ｂ２と隣接して円盤部１５ｂに設けられた円孔群から成る制御孔１５ｂ４とを有する（図５（Ｅ）と図５（Ｄ）と図１（Ｂ）を参照）。ちなみに、各操作補助部１５ｂ２の幅は、蓋部本体１５ａの操作補助部１５ａ５の幅と同じかほぼ同じである。この操作部１５ｂは、その軸受け部１５ｂ３を蓋部本体１５ａの軸部１５ａ６に回転可能に嵌め込まれ、円盤部１５ｂ１の上面が蓋部本体１５ａの仕切り部１５ａ３の下面に回転可能に接し、各操作補助部１５ｂ２が蓋部本体１５ａの各給排液孔１５ａ４を通じて上方向に突出するように設けられている（図１（Ｂ）を参照）。ちなみに、蓋部本体１５ａに設けられた操作部１５ｂの各操作補助部１５ｂ２の上面高さ位置は、蓋部本体１５ａの操作補助部１５ａ５の上面高さ位置と同じかほぼ同じである。
【００２４】
すなわち、操作部１５ｂは、その各操作補助部１５ｂ２が蓋部本体１５ａの操作補助部１５ａ５と上面視で十字状を成すとき（図５（Ａ）を参照）、円盤部１５ｂ１の各制御孔１５ｂ４が無い部分によって蓋部本体１５ａの各給排液孔１５ａ４を給排不可能に閉塞できる。また、各操作補助部１５ｂ２が動かされて円盤部１５ｂ１が回転すると（図５（Ｄ）を参照）、円盤部１５ｂ１の各制御孔１５ｂ４が蓋部本体１５ａの各給排液孔１５ａ４内に変位し、当該各制御孔１５ｂ４を通じて蓋部本体１５ａの各給排液孔１５ａ４を給排可能に開放できる。
【００２５】
規制部１５ｃは、蓋部本体１５ａの操作補助部１５ａ５と操作部１５ｂの各操作補助部１５ｂ２とを被覆可能な外径を有する円盤部１５ｃ１と、円盤部１５ｃ１の下面に設けられた円筒状の筒部１５ｃ２と、筒部１５ｃ２の下面に９０度間隔で設けられた規制溝１５ｃ３とを有する（図５（Ｂ）と図５（Ｃ）を参照）。ちなみに、筒部１５ｃ２の外径は、円盤部１５ｃ１の外径よりも小さく、各規制溝１５ｃ３の幅は、蓋部本体１５ａの操作補助部１５ａ５の幅および操作部１５ｂの各操作補助部１５ｂ２の幅よりも僅かに大きく、各規制溝１５ｃ３の上下方向寸法は、蓋部本体１５ａの操作補助部１５ａ５の上下方向寸法よりも僅かに大きい。
【００２６】
すなわち、規制部１５ｃは、蓋部本体１５ａの操作補助部１５ａ５と操作部１５ｂの各操作補助部１５ｂ２とが上面視で十字状を成すとき（図５（Ａ）を参照）、各規制溝１５ｃ３を蓋部本体１５ａの操作補助部１５ａ５と操作部１５ｂの各操作補助部１５ｂ２に嵌め込みで取り付けることができ、この取り付け状態では操作部１５ｂの各操作補助部１５ｂ２を動かすことはできない。つまり、操作部１５ｂの各操作補助部１５ｂ２は、蓋部１５から規制部１５ｃを外して前掲の嵌め込みを解除することによって動かせる状態となる。ちなみに、この取り付け状態における規制部１５ｃの円盤部１５ｃ１の上面高さ位置は、蓋部本体１５ａの上面高さ位置と同じかほぼ同じである。
【００２７】
図１に示した使用前状態では、蓋部１５は、蓋部本体１５ａのネジ部１５ａ１が容器部１１のネジ部１１ｆに取り付けられ、操作部１５ｂの円盤部１５ｂ１の下面が容器部１１の開口部１１ｂに接して当該開口部１１ｂを閉塞している。また、同使用前状態では、蓋部１５の操作部１５ｂの各操作補助部１５ｂ２が蓋部本体１５ａの操作補助部１５ａ５と上面視で十字状を成しており、これら操作補助部１５ｂ２および１５ａ５に規制部１５ｃの各規制溝１５ｃ３が嵌め込まれて取り付けられている。
【００２８】
台座部１６は、液体ＤＷに対して不溶で、好ましくは不透明に形成されている。この台座部１６は、図６に示したように、概ね円筒状を成し、上面視が円形の窪み部１６ａを有し、上面視が矩形状の突部１６ｂを窪み部１６の内面の左右部分に左右対称に有する。ちなみに、台座部１６の窪み部１６ａの内径は、容器部１１の外径よりも僅かに大きく、各突部１６ｂの幅、突出量および上下方向寸法は、容器部１１の各窪み部１１ｄ１の幅、深さおよび上下方向寸法よりも僅かに小さい。また、台座部１６の外径は、観賞玩具１０（容器部１１）を自立できるように容器部１１の外径よりも大きく設定されている。
【００２９】
図１に示した使用前状態では、台座部１６は、窪み部１６ａに容器部１１の下部が挿入され、各突部１６ｂが容器部１１の各窪み部１１ｄ１が嵌まり込んだ状態で、容器部１１に取り付けられている。
【００３０】
可溶促進部１７は、液体ＤＷに対する情報部１２の可溶を促進するためのもので、好ましくは液体ＤＷに可溶で、かつ、液体ＤＷによってガスを発生する材料を含む。この可溶促進部１７は、概ね円柱状を成し、その外径は遮蔽部１４の内径よりも僅かに小さく、その厚さは、容器部１１の空洞１１ａ内に配置された遮蔽部１４の内側の上面と容器部１１の各張り出し部１１ｄの上端との上下方向寸法よりも僅かに小さい。  
【００３１】
図１に示した使用前状態では、可溶促進部１７は、その上面を遮蔽部１４の内側の上面に接し、その下面を容器部１１の各張り出し部１１ｄの上端に接し、その外周面を遮蔽部１４で覆われた状態で配置され、空洞１１ａの底部１１ｃ上に配置された複数の部品１３ａ〜１３ｄを覆っている。
【００３２】
ここで、可溶促進部１７について補足する。可溶促進部１７が液体ＤＷによってガスを発生する材料を含む場合、当該材料には、水（Ｈ２０）との反応によって人体に無害な炭酸ガス等のガスを発生可能なものが適宜使用可能であり、好ましい例としては、炭酸ナトリウム、炭酸水素ナトリウム、セスキ炭酸ナトリウム等の炭酸塩と、クエン酸、コハク酸、フマル酸、リンゴ酸、マレイン酸、酒石酸、乳酸等の有機酸類との組み合わせを挙げることができる。炭酸塩と有機酸類との配合比はガス発生時間、すなわち、情報部１２の可溶に要する時間や使用者の観賞時間に応じて適宜変更することができる。また、情報部１２の可溶とともに、液体ＤＷの着色を行う場合には、人体に無害な食用色素等の色素を前記材料に添加してもよい。
【００３３】
《観賞玩具の組み立て例》
次に、図７を用いて、図１に示した観賞玩具１０の組み立て例について説明する。なお、ここで説明する組み立て例はあくまでも一例であって観賞玩具１０の使用方法を制限するものではない。ちなみに、この組み立て例は、図１に示した観賞玩具１０を繰り返し使用する場合にも利用できる。
【００３４】
組み立てに際しては、容器部１１の下部に台座部１６を取り付けたものと、分解状態の物品１３（部品１３ａ〜１３ｄ）と、可溶促進部１７が収容された遮蔽部１４と、情報部１２と、蓋部１５（図示省略）を用意する。無論、可溶促進部１７と遮蔽部１４とを別々に用意してもよい。
【００３５】
そして、容器部１１の空洞１１ａに分解状態の物品１３を入れて底部１１ｃ上に配置し、この後に、空洞１１ａに可溶促進部１７が収容された遮蔽部１４を入れて遮蔽部１４の各スリット１４ｂを容器部１１の各張り出し部１１ｄに挿入する。可溶促進部１７と遮蔽部１４とを別々に用意された場合には、可溶促進部１７が容器部１１の各張り出し部１１ｄ上に置き、この後に、その外側を遮蔽部１４で覆うようにして当該遮蔽部１４の各スリット１４ｂを容器部１１の各張り出し部１１ｄに挿入する。そして、情報部１２が例えば横長矩形状のシート状を成す場合、当該情報部１２を適宜丸めた状態で容器部１１の空洞１１ａに入れて遮蔽部１４上に配置する。最後に蓋部１５の蓋部本体１５ａのネジ部１５ａ１を容器部１１のネジ部１１ｆに取り付けて、容器部１１の開口部１１ｂを閉塞する。以上で図１に示した観賞玩具１０の組み立てが完了する。
【００３６】
《観賞玩具の使用方法例》
次に、図８〜図１６を用いて、図１に示した観賞玩具１０の使用方法例について作用効果を交えて説明する。なお、ここで説明する使用方法例はあくまでも一例であって観賞玩具１０の使用方法を制限するものではない。
【００３７】
使用に際しては、図８に示したように、観賞玩具１０の台座部１６を卓上等の平坦面（２点鎖線を参照）に置く。そして、蓋部１５から規制部１５ｃを外し、この後に、蓋部１５の操作部１５ｂを動かして（図５（Ｄ）を参照）、蓋部本体１５ａの各給排液孔１５ａ４を開放して液体ＤＷを給排可能な状態とする。そして、蓋部１５の蓋部本体１５ａの仕切り部１５ａ３に向かって液体ＤＷ（例えば水道水）を注ぎ込む。
【００３８】
注ぎ込まれた液体ＤＷは、図９に示したように、蓋部本体１５ａの各給排液孔１５ａ４と操作部１５ｂの各制御孔１５ｂ４を通じて容器部１１の空洞１１ａに流し込まれるため、空洞１１ａが液体ＤＷでほぼ一杯になったところで、当該注ぎ込みを停止する。そして、蓋部１５の操作部１５ｂを復帰させて（図５（Ａ）を参照）、蓋部本体１５ａの各給排液孔１５ａ４を閉塞して液体ＤＷを給排不可能な状態とする。そして、先に外した規制部１５ｃを蓋部１５に取り付けて、操作部１５ｂの各操作補助部１５ｂ２が動かないようにする。
【００３９】
そして、図１０に示したように、容器部１１の空洞１１ａに液体ＤＷが充填された後のものを手指で把持して持ち上げ、前後左右に数秒程度振ってから卓上等の平坦面に置く。情報部１２は液体ＤＷとの接触により溶け始め、可溶促進部１７も液体ＤＷとの接触によってガスを発生し始めるが、振ることによって情報部１２の可溶と可溶促進部１７からのガス発生が促され、可溶促進部１７で発生し上昇するガスの気泡ＢＵにより情報部１２が動かされてその可溶が促進される。また、可溶促進部１７に色素が含まれている場合には、ガス発生に伴って液体ＤＷが変色する。
【００４０】
前掲のガス発生および気泡ＢＵの上昇は、情報部１２の可溶を促進する他に、独特の雰囲気を演出する役目も果たしている。すなわち、情報部１２が溶けていく様子をガスの気泡ＢＵにより目立たせて使用者を引きつけることができるため、ガス発生を利用しない場合と比べて使用者の視覚と聴覚に訴える力が格段向上する。また、情報部１２の可溶に数十秒程度を要する場合でも、ガスの気泡ＢＵによる演出によって当該時間をもてあますことも解消できる。ちなみに、情報部１２は完全に液体ＤＷに溶けて無くなる訳ではなく、可溶促進部１７も完全に液体ＤＷに溶けて無くなら場合もある得るため、容器部１１の空洞１１ａ内の液体ＤＷはこれらの残渣が混合した混合液体ＭＷとなる。
【００４１】
ガス発生が停止した後は、図１１に示したように、蓋部１５から規制部１５ｃを外し、この後に、全体を上下反転させてから蓋部１５を卓上等の平坦面に置き、蓋部１５に対して容器部１１を少し回転させる。容器部１１の開口部１１ｂは蓋部１５の操作部１５ｂの円盤部１５ｂ１に接しているため、この回転に伴って操作部１５ｂが動かされて（図５（Ｄ）を参照）、蓋部本体１５ａの各給排液孔１５ａ４が給排可能な状態となる。
【００４２】
すなわち、容器部１１の空洞１１ｂ内の混合液体ＭＷは、図１１に示したように、蓋部本体１５ａの各給排液孔１５ａ４と操作部１５ｂの各制御孔１５ｂ４を通じて蓋部本体１５ａの各排液溝１５ａ２から外部に排出する。また、分解状態の物品１３が空洞１１ａ内を自重落下して、容器部１１の外部から視認できるようになる。
【００４３】
容器部１１の空洞１１ｂ内の混合液体ＭＷの排出が完了した後は、図１２に示したように、蓋部本体１５を回して容器部１１から外して、分解状態の物品１３を自重落下によって空洞１１ａ内から取り出す。取り出された分解状態の物品１３には先に述べた残渣が付着している場合があるので、好ましくは水道水等を用いて当該残渣を除去する。そして、分解状態の物品１３を組み立てて図３（Ｂ）に示した自立可能な形態とする。
【００４４】
混合液体ＭＷの排出と分解状態の物品１３の取り出しが完了した後は、好ましくは水道水等を用いて当該容器部１１の空洞１１ａを洗浄し乾燥させ、図１３に示したように、台座部１６を卓上等の平坦面に置き、先に蓋部１５から外した規制部１５ｃを容器部１１の空洞１１ａに入れ、当該規制部１５ｃの筒部１５ｃ２を遮蔽部１４の孔１４ａに挿入し、かつ、円盤部１５ｃ１の下面が遮蔽部１４の上面に接するように配置する。
【００４５】
容器部１１の空洞１１ａ内に規制部１５ｃを配置した後は、図１４に示したように、先に組み立てた物品１３を容器部１１の空洞１１ａに入れ、当該物品１３を規制部１５ｃの円盤部１５ｃ１上に自立状態で配置する。
【００４６】
容器部１１の空洞１１ａ内に組み立て後の物品１３を配置した後は、図１５に示したように、先に容器部１１から外した蓋部本体１５を当該容器部１１に取り付ける。以上で図１６に示したような外観、すなわち、組み立て後の物品１３が筒状ショーケース内に展示されているような外観を有する展示形態を得ることができる。
【００４７】
《変形例》
次に、前述の観賞玩具１０に係る変形例について紹介する。
【００４８】
（１）前述の使用方法例では１回のみの使用を前提として説明を行ったが、予備の可溶促進部１７を用意しておくか、あるいは、別種類の情報源１２および物品１３と予備の可溶促進部１７を用意しておけば、前述の組み立て方法例によって使用前状態の観賞玩具１０を再度組み立てて、繰り返し使用することも可能である。
【００４９】
（２）容器部１１の空洞１１ａ内に分解状態の物品１３を配置したものを例示したが、組み立て不要の物品１３を空洞１１ａ内に配置することも可能である。
【００５０】
（３）容器部１１とは別に台座部１６を備えたものを例示したが、容器部１１そのものが自立できる外形（外径）を有する場合や、容器部１１が台座部の代わりとなる部分を一体に有する場合には、台座部１６を排除することも可能である。
【００５１】
（４）可溶促進部１７を備えるものを例示したが、容器部１１の空洞１１ａに液体ＤＷが充填された後のものを振る行為によって情報部１２の可溶を行うことを前提とする場合には、可溶促進部１７を排除することも可能である。この場合には、情報部１２の一部によって遮蔽部１４の孔１４ａを塞ぐようにすれば、あるいは、情報部１２によって分解状態の物品１３を囲むようにすれば、容器部１１の空洞１１ａに当該物品１３を外部から視認できないように配置することができる。
【００５２】
（５）情報部１２と分解状態の物品１３と可溶促進部１７を除く構成、すなわち、容器部１２と遮蔽部１４と蓋部１５は、前述の観賞玩具１０を作製する場合の容器として極めて有用である。換言すれば、容器部１２と遮蔽部１４と蓋部１５とを備える容器を準備しておけば、情報部１２と分解状態の物品１３と可溶促進部１７の種類が変わった場合でも、この変化に追従して所期の観賞玩具を作製することができる。
【００５３】
（６）可溶促進部１７は粉末状または粒状ものものでもよい。その場合の可溶促進部１７の量は容器１１の空洞１１ａの底部１１ｃ上の物品１３の少なくとも一部を覆う量とし、物品１３の種類が外部から視認しても判別できない量とすると興趣性が高まる。
【符号の説明】
【００５４】
１０…観賞玩具、１１…容器部、１１ａ…空洞、１２…情報部、１２ａ…情報源、１３…物品、１３ａ〜１３ｄ…物品を構成する組み立て可能な部品、１４…遮蔽部、１５…蓋部、１５ａ…蓋部本体、１５ｂ…操作部、１５ｃ…規制部、１６…台座部、１７…可溶促進部、ＤＷ…液体。
【図１】
2020162835.tif 000003
【図２】
2020162835.tif 000004
【図３】
2020162835.tif 000005
【図４】
2020162835.tif 000006
【図５】
2020162835.tif 000007
【図６】
2020162835.tif 000008
【図７】
2020162835.tif 000009
【図８】
2020162835.tif 000010
【図９】
2020162835.tif 000011
【図１０】
2020162835.tif 000012
【図１１】
2020162835.tif 000013
【図１２】
2020162835.tif 000014
【図１３】
2020162835.tif 000015
【図１４】
2020162835.tif 000016
【図１５】
2020162835.tif 000017
【図１６】
2020162835.tif 000018